(57)【要約】【課題】１つのＮＰＮトランジスタと５つの抵抗とでもって識別信号に要求されるレベルにレベル変換を行う。【解決手段】レベル変換回路２０は、伸長回路部２３の出力端子２４がエミッタに導かれたＮＰＮトランジスタＱ１と、ＮＰＮトランジスタＱ１のベースと５Ｖのプラス電源Ｖ＋２との間に接続された第１の抵抗Ｒ１と、ベースと接地レベルとの間に接続された第２の抵抗Ｒ２と、コレクタと５Ｖのプラス電源Ｖ＋２との間に接続された第３の抵抗Ｒ３と、エミッタと接地レベルとの間に接続された第４の抵抗Ｒ４と、コレクタと識別信号端子１１Ｐとの間に接続された第５の抵抗Ｒ５とを備えている。【選択図】　図１
0003096934.tif 000002
【実用新案登録請求の範囲】
【請求項１】
映像信号が送出される映像信号端子と映像信号のアスペクト比を示す識別信号が送出される識別信号端子とを有するＤ端子と、
出力端子に３．３Ｖ近傍の電圧を出力することでもって映像信号端子から出力される映像信号が映像の左右方向において圧縮されたスクイーズ信号であることを示し、出力端子をハイインピーダンスとすることでもって前記映像信号がレターボックス信号であることを示し、出力端子に０Ｖ近傍の電圧を出力することでもって前記映像信号がアスペクト比が４：３の映像を示すスタンダード信号であることを示す信号回路部と、
前記出力端子に３．３Ｖ近傍の電圧が出力されるときには識別信号の電圧を５Ｖ近傍の電圧とし、前記出力端子がハイインピーダンスとなるときには識別信号の電圧を２．２Ｖ近傍の電圧とし、前記出力端子に０Ｖ近傍の電圧が出力されるときには識別信号の電圧を０Ｖ近傍の電圧とするレベル変換回路とを備えたＤＶＤ再生装置において、
レベル変換回路は、
信号回路部の前記出力端子がエミッタに接続されたＮＰＮトランジスタと、
ＮＰＮトランジスタのベースと５Ｖのプラス電源との間に接続された第１の抵抗と、
ＮＰＮトランジスタのベースと接地レベルとの間に接続された第２の抵抗と、
ＮＰＮトランジスタのコレクタと５Ｖのプラス電源との間に接続された第３の抵抗と、
ＮＰＮトランジスタのエミッタと接地レベルとの間に接続された第４の抵抗と、
ＮＰＮトランジスタのコレクタと識別信号端子との間に接続された第５の抵抗とを備え、
第１から第４までの４つの抵抗の値は、前記出力端子がハイインピーダンスとなるときのＮＰＮトランジスタの動作領域が飽和領域となる値に設定されていることを特徴とするＤＶＤ再生装置。
【請求項２】
映像信号が送出される映像信号端子と映像信号のアスペクト比を示す識別信号が送出される識別信号端子とを有するＤ端子と、
出力端子に３．３Ｖ近傍の電圧を出力することでもって映像信号端子から出力される映像信号が映像の左右方向において圧縮されたスクイーズ信号であることを示し、出力端子をハイインピーダンスとすることでもって前記映像信号がレターボックス信号であることを示し、出力端子に０Ｖ近傍の電圧を出力することでもって前記映像信号がアスペクト比が４：３の映像を示すスタンダード信号であることを示す信号回路部と、
前記出力端子に３．３Ｖ近傍の電圧が出力されるときには識別信号の電圧を５Ｖ近傍の電圧とし、前記出力端子がハイインピーダンスとなるときには識別信号の電圧を２．２Ｖ近傍の電圧とし、前記出力端子に０Ｖ近傍の電圧が出力されるときには識別信号の電圧を０Ｖ近傍の電圧とするレベル変換回路とを備えたＤＶＤ再生装置において、
レベル変換回路は、
信号回路部の前記出力端子がエミッタに接続されたＮＰＮトランジスタと、
ＮＰＮトランジスタのベースと５Ｖのプラス電源との間に接続された第１の抵抗と、
ＮＰＮトランジスタのベースと接地レベルとの間に接続された第２の抵抗と、
ＮＰＮトランジスタのコレクタと５Ｖのプラス電源との間に接続された第３の抵抗と、
ＮＰＮトランジスタのエミッタと接地レベルとの間に接続された第４の抵抗と、
ＮＰＮトランジスタのコレクタと識別信号端子との間に接続された第５の抵抗とを備えたことを特徴とするＤＶＤ再生装置。
【考案の詳細な説明】
【０００１】
【考案の属する技術分野】
本考案は、映像信号が送出される映像信号端子と映像信号のアスペクト比を示す識別信号が送出される識別信号端子とを有するＤ端子を備えたＤＶＤ再生装置に関するものである。
【０００２】
【従来の技術】
ＤＶＤ再生装置においては、アスペクト比が１６：９となる映像を示すスクイーズ信号（以下では、単にスクイーズ信号と称する）、または、画面の上下に黒帯部が形成されるレターボックス信号（以下では、単にレターボックス信号と称する）、あるいは、アスペクト比が４：３の映像となるスタンダード信号（以下では、単にスタンダード信号と称する）のうちのどれかを出力するようになっている。このため、例えば、Ｄ端子においては、図２に示したように、１番端子１Ｐ、３番端子３Ｐ、５番端子５Ｐの３つのピンを使って送出される映像信号が、上記した３種の信号のうちのどの信号となっているのかを示すため、識別信号６２が併せて出力されるようになっている。この識別信号６２は、Ｄ端子２１の１１番端子１１Ｐから送出される信号となっており、識別信号６２を５Ｖ近傍の電圧とすることでもってスクイーズ信号であることを示し、２．２Ｖ近傍の電圧とすることでもってレターボックス信号であることを示し、０Ｖ近傍の電圧とすることでもってスタンダード信号であることを示すようになっている。
【０００３】
一方、ＤＶＤを再生した得られたデータストリームを所定処理して映像信号等を復調する伸長回路部部２３には、デジタルシグナルプロセッサ（以下では、単にＤＳＰと称する）が使用される。また、このＤＳＰは、多くの場合、３．３Ｖのプラス電源Ｖ＋１によって動作するＩＣにより構成されている。このため、伸長回路部部２３は、出力端子２４の出力電圧を３．３Ｖ近傍の電圧とすることでもって、映像信号がスクイーズ信号であることを示し、出力端子２４をハイインピーダンスとすることでもって、映像信号がレターボックス信号であることを示し、出力端子２４の電圧を０Ｖ近傍の電圧とすることでもって、映像信号がスタンダード信号であることを示すようになっている。このため、出力端子２４の出力を、識別信号６２に要求されるレベルに変換するためのレベル変換回路６１を設けている。
【０００４】
レベル変換回路６１は、出力端子２４がベースに接続されたＮＰＮトランジスタ（以下では、単にトランジスタと称する）Ｑ４と、出力端子２４がハイインピーダンスとなるときのトランジスタＱ４のベース電圧を決定するための２つの抵抗Ｒ１１，Ｒ１２とを備えている。また、トランジスタＱ４のコレクタと５Ｖのプラス電源Ｖ＋２との間に接続された抵抗Ｒ１３と、トランジスタＱ４のエミッタと接地レベルとの間に接続された抵抗Ｒ１４とを備えている。また、トランジスタＱ４のコレクタにベースが接続されたＰＮＰトランジスタ（以下では、単にトランジスタと称する）Ｑ５と、トランジスタＱ５のエミッタとプラス電源Ｖ＋２との間に接続された抵抗Ｒ１５と、トランジスタＱ５のコレクタとトランジスタＱ４のエミッタとの間に接続された抵抗Ｒ１６とを備えている。また、１１番端子１１Ｐの出力インピーダンスを規定インピーダンスに整合させるため、トランジスタＱ５のコレクタと１１番端子１１Ｐとの間に接続された抵抗Ｒ１７を備えている。なお、抵抗Ｒ１１〜Ｒ１７の各値は、１２ｋΩ、１８ｋΩ、１ｋΩ、８２０Ω、１００Ω、１ｋΩ、１０ｋΩとなっている。
【０００５】
このため、出力端子２４の電圧が、スクイーズ信号であることを示す３．３Ｖとなる場合、トランジスタＱ４がオン状態となり、トランジスタＱ５にベース電流が流れることから、トランジスタＱ５がオンとなる。このため、プラス電源Ｖ＋２の電圧が、１００Ωの抵抗Ｒ１５、オン状態にあるトランジスタＱ５、および、抵抗Ｒ１７を介して、１１番端子１１Ｐに導かれる。その結果、識別信号６２の電圧（１１番端子１１Ｐの電圧）は、スクイーズ信号であることを示す５Ｖ近傍の電圧となる。一方、出力端子２４の電圧が、スタンダード信号であることを示す０Ｖとなる場合には、トランジスタＱ４がオフ状態となり、トランジスタＱ５がオフ状態となる。このため、１１番端子１１Ｐは、抵抗Ｒ１７，Ｒ１６，Ｒ１４を介して接地される。その結果、識別信号６２の電圧は、スタンダード信号であることを示す０Ｖとなる。
【０００６】
また、出力端子２４の状態が、レターボックス信号であることを示すハイインピーダンスとなる場合、トランジスタＱ４のベースには、抵抗Ｒ１１，Ｒ１２によって分圧された約２Ｖの電圧が印加される。このため、トランジスタＱ４にベース電流が流れるとともに、トランジスタＱ５にもベース電流が流れる。また、このときでは、トランジスタＱ４のエミッタ電流とトランジスタＱ５のコレクタ電流との比率は、トランジスタＱ４のエミッタの電位が、トランジスタＱ４のベース電位の２Ｖより約０．６Ｖ低い電圧である約１．４Ｖとなる状態において均衡する。その結果、識別信号６２の電圧は、レターボックス信号であることを示す２．２Ｖ近傍の電圧となる（第１の従来技術とする）。
【０００７】
また、０Ｖ〜５Ｖの範囲でレベルが変化する信号系を、動作電源の電圧が３．３ＶであるＣＭＯＳ回路に整合させるための従来技術が提案されている（第２の従来技術とする）。すなわち、この技術においては、０Ｖ〜５Ｖの範囲でレベルが変化する入力信号を、２つの抵抗により構成された分圧回路を介して、ＭＯＳトランジスタのゲートに導いている。このため、入力信号のレベルが、Ｈレベルの５Ｖとなるときにも、ＭＯＳトランジスタのゲートのレベルは、耐圧を超えない範囲に抑制される。このため、外部から入力される信号の閾値電圧が２．５Ｖとなるように、３．３Ｖの信号系の側においてスイッチング動作を行わせるときにも、安定した特性の動作が得られるようになっている（例えば、特許文献１参照）。
【０００８】
【特許文献１】
特開２００１−４４８１８号公報
【０００９】
【考案が解決しようとする課題】
しかしながら第１の従来技術を用いた場合には、以下に示す問題を生じていた。すなわち、レベル変換回路６１は、２つのトランジスタＱ４，Ｑ５と７つの抵抗Ｒ１１〜Ｒ１７とを必要とする素子数の多い回路となっている。このため、部品原価の上昇を招いており、少ない素子数でもって同じ機能を実行可能な構成が求められていた。
【００１０】
また、第２の従来技術は、外部から入力される信号の閾値電圧が２．５Ｖとなるように、３．３Ｖの信号系の側においてスイッチング動作を行わせるときにも、安定した特性の動作を得るための技術となっている。従って、第１の従来技術において生じる問題を解決する観点から見る場合、すなわち、出力端子の３つの状態（３．３Ｖの出力状態、ハイインピーダンスの状態、０Ｖの出力状態）に対応して、５Ｖの出力、２．２Ｖの出力、０Ｖの出力を行うレベル変換回路の素子数を少なくするという観点から見るでは、適用することが困難な技術となっていた。
【００１１】
本考案は上記課題を解決するため創案されたものであって、その目的は、１つのＮＰＮトランジスタと５つの抵抗とでもって、識別信号に要求されるレベルにレベル変換を行うことのでき、且つ、ＮＰＮトランジスタのｈｆｅがばらつくときにも識別信号のレベルにばらつきが生じることを防止することのできるＤＶＤ再生装置を提供することにある。
【００１２】
また本考案の目的は、信号回路部に設けられた出力端子であり、アスペクト比を示す信号が送出される出力端子を、ＮＰＮトランジスタのエミッタに接続することにより、１つのＮＰＮトランジスタと５つの抵抗とでもって、識別信号に要求されるレベルにレベル変換を行うことのできるＤＶＤ再生装置を提供することにある。
【００１３】
【課題を解決するための手段】
上記課題を解決するため本考案に係るＤＶＤ再生装置は、映像信号が送出される映像信号端子と映像信号のアスペクト比を示す識別信号が送出される識別信号端子とを有するＤ端子と、出力端子に３．３Ｖ近傍の電圧を出力することでもって映像信号端子から出力される映像信号が映像の左右方向において圧縮されたスクイーズ信号であることを示し、出力端子をハイインピーダンスとすることでもって前記映像信号がレターボックス信号であることを示し、出力端子に０Ｖ近傍の電圧を出力することでもって前記映像信号がアスペクト比が４：３の映像を示すスタンダード信号であることを示す信号回路部と、前記出力端子に３．３Ｖ近傍の電圧が出力されるときには識別信号の電圧を５Ｖ近傍の電圧とし、前記出力端子がハイインピーダンスとなるときには識別信号の電圧を２．２Ｖ近傍の電圧とし、前記出力端子に０Ｖ近傍の電圧が出力されるときには識別信号の電圧を０Ｖ近傍の電圧とするレベル変換回路とを備えたＤＶＤ再生装置に適用している。そして、レベル変換回路は、信号回路部の前記出力端子がエミッタに導かれたＮＰＮトランジスタと、ＮＰＮトランジスタのベースと５Ｖのプラス電源との間に接続された第１の抵抗と、ＮＰＮトランジスタのベースと接地レベルとの間に接続された第２の抵抗と、ＮＰＮトランジスタのコレクタと５Ｖのプラス電源との間に接続された第３の抵抗と、ＮＰＮトランジスタのエミッタと接地レベルとの間に接続された第４の抵抗と、ＮＰＮトランジスタのコレクタと識別信号端子との間に接続された第５の抵抗とを備えている。また、第１から第４までの４つの抵抗の値は、前記出力端子がハイインピーダンスとなるときのＮＰＮトランジスタの動作領域が飽和領域となる値に設定されている。
【００１４】
すなわち、出力端子が０Ｖとなる場合、ＮＰＮトランジスタのエミッタ電位は０Ｖとなる。従って、第１の抵抗を介してＮＰＮトランジスタのベースに電流が流れ、ＮＰＮトランジスタはオンとなる。このため、識別信号端子の電圧は０Ｖ近傍の電圧となる。また、出力端子が３．３Ｖとなる場合、ＮＰＮトランジスタにはベース電流が流れなくなるので、ＮＰＮトランジスタはオフとなる。従って、識別信号端子には、第３の抵抗と第５の抵抗とを介して、プラス電源からの５Ｖが導かれるため、識別信号端子の電圧は５Ｖとなる。また、出力端子がハイインピーダンスとなる場合、ＮＰＮトランジスタのベースには、第１の抵抗と第２の抵抗とにより分圧された電圧が印加される。一方、第３の抵抗と第４の抵抗とに流れる電流値は、ベース電流を無視すると同一となる。このため、ＮＰＮトランジスタのコレクタの電圧は、第１〜第４の抵抗の値によって定まる電圧（２．２Ｖとすることができる）となる。この電圧が、第５の抵抗を介して、識別信号端子に導かれるので、識別信号端子の電圧は２．２Ｖとなる。また、出力端子がハイインピーダンスとなるときのＮＰＮトランジスタの動作領域を飽和領域とする場合、ＮＰＮトランジスタのコレクタの電圧（識別信号端子の電圧）は、第１〜第４の抵抗の値によってのみ定まり、ＮＰＮトランジスタのｈｆｅの影響を受けなくなる。
【００１５】
また本考案に係るＤＶＤ再生装置は、映像信号が送出される映像信号端子と映像信号のアスペクト比を示す識別信号が送出される識別信号端子とを有するＤ端子と、出力端子に３．３Ｖ近傍の電圧を出力することでもって映像信号端子から出力される映像信号が映像の左右方向において圧縮されたスクイーズ信号であることを示し、出力端子をハイインピーダンスとすることでもって前記映像信号がレターボックス信号であることを示し、出力端子に０Ｖ近傍の電圧を出力することでもって前記映像信号がアスペクト比が４：３の映像を示すスタンダード信号であることを示す信号回路部と、前記出力端子に３．３Ｖ近傍の電圧が出力されるときには識別信号の電圧を５Ｖ近傍の電圧とし、前記出力端子がハイインピーダンスとなるときには識別信号の電圧を２．２Ｖ近傍の電圧とし、前記出力端子に０Ｖ近傍の電圧が出力されるときには識別信号の電圧を０Ｖ近傍の電圧とするレベル変換回路とを備えたＤＶＤ再生装置に適用している。そして、レベル変換回路は、信号回路部の前記出力端子がエミッタに導かれたＮＰＮトランジスタと、ＮＰＮトランジスタのベースと５Ｖのプラス電源との間に接続された第１の抵抗と、ＮＰＮトランジスタのベースと接地レベルとの間に接続された第２の抵抗と、ＮＰＮトランジスタのコレクタと５Ｖのプラス電源との間に接続された第３の抵抗と、ＮＰＮトランジスタのエミッタと接地レベルとの間に接続された第４の抵抗と、ＮＰＮトランジスタのコレクタと識別信号端子との間に接続された第５の抵抗とを備えている。
【００１６】
すなわち、出力端子が０Ｖとなる場合、ＮＰＮトランジスタのエミッタ電位は０Ｖとなる。従って、第１の抵抗を介してＮＰＮトランジスタのベースに電流が流れ、ＮＰＮトランジスタはオンとなる。このため、識別信号端子の電圧は０Ｖ近傍の電圧となる。また、出力端子が３．３Ｖとなる場合、ＮＰＮトランジスタにはベース電流が流れなくなるので、ＮＰＮトランジスタはオフとなる。従って、識別信号端子には、第３の抵抗と第５の抵抗とを介して、プラス電源からの５Ｖが導かれるため、識別信号端子の電圧は５Ｖとなる。また、出力端子がハイインピーダンスとなる場合、ＮＰＮトランジスタのベースには、第１の抵抗と第２の抵抗とにより分圧された電圧が印加される。一方、第３の抵抗と第４の抵抗とに流れる電流値は、ベース電流を無視すると同一となる。このため、ＮＰＮトランジスタのコレクタの電圧は、第１〜第４の抵抗の値によって定まる電圧（２．２Ｖとすることができる）となる。この電圧が、第５の抵抗を介して、識別信号端子に導かれるので、識別信号端子の電圧は２．２Ｖとなる。
【００１７】
【考案の実施の形態】
以下に本考案の実施例の形態を、図面を参照しつつ説明する。
図１は、本考案に係るＤＶＤ再生装置の一実施形態の電気的構成を示すブロック線図であり、図２に示す従来技術と同一となるブロックには、図２における符号と同一符号を付与している。
【００１８】
図において、Ｄ端子２１は、映像信号と映像信号の種類を示す識別信号とを送出するための端子となっている。すなわち、１番端子１Ｐ、３番端子３Ｐ、５番端子５Ｐの３つの端子（請求項記載の映像信号端子）を用いて映像信号を送出する（２番端子２Ｐ、４番端子４Ｐ、６番端子６Ｐの３つの端子は接地レベルを伝送し、７番端子７Ｐは予備となっている）。また、８番端子８Ｐは、映像信号の走査線数を示す識別信号を伝送する（本実施形態では、走査線数が５２５本の映像信号のみを送出するため、接地レベルに接続されている）。９番端子９Ｐは、映像信号がプログレッシブ信号であるのか、インタレース信号であるのかを示す識別信号を伝送する。１１番端子（請求項記載の識別信号端子）１１Ｐは、映像信号のアスペクト比を示す識別信号１１を伝送する（後に詳述する）。また、１２番端子１２Ｐ、１４番端子１４Ｐは、プラグの挿入を検出するための端子となっている（１０番端子１０Ｐ、１３番端子１３Ｐは予備となっている）。
【００１９】
識別信号端子１１Ｐから送出される識別信号１１のレベルについて詳細に説明すると、１番端子１Ｐ、３番端子３Ｐ、５番端子５Ｐの３つの端子を用いて送出される映像信号が、アスペクト比が１６：９となる映像を左右方向において圧縮したスクイーズ信号（以下では、単にスクイーズ信号と称する）となる場合、識別信号１１のレベルを３．５Ｖ〜５Ｖとすることが定められている。また、前記映像信号が、画面の上下に黒帯が形成されるレターボックス信号（以下では、単にレターボックス信号と称する）となる場合、識別信号１１のレベルを１．４Ｖ〜２．４Ｖとすることが定められている。また、前記映像信号が、アスペクト比が４：３の映像となるスタンダード信号（以下では、単にスタンダード信号と称する）となる場合、識別信号１１のレベルを０Ｖ近傍の電圧とすることが定められている。
【００２０】
再生回路部２５は、ピックアップ、サーボ回路、復調回路、エラー訂正回路、等を備えており、ＤＶＤ２６に記録された信号を読み出す。そして、読み出した信号からデジタルデータを復調するとともに、復調したデジタルデータのエラー訂正を行う。そして後、エラー訂正したデジタルデータを伸長回路部２３に送出する。
【００２１】
伸長回路部（請求項記載の信号回路部）２３は、３．３Ｖのプラス電源Ｖ＋１を動作電源とするブロックとなっており、再生回路部２５から出力されるデジタルデータの伸長を行うことによって、映像信号等を復調する。そして、復調した映像信号を構成する３種の信号（輝度信号１と２種の色差信号３，５）をＤ端子２１（１番端子１Ｐ、３番端子３Ｐ、５番端子５Ｐ）に送出する。また、このとき、Ｄ端子２１に送出する映像信号がプログレッシブ信号となる場合には、レベル変換回路２２に３．３Ｖを送出する。また、Ｄ端子２１に送出する映像信号がインタレース信号となる場合には、レベル変換回路２２に０Ｖを送出する。
【００２２】
また、Ｄ端子２１に送出する映像信号がスクイーズ信号となるときには、出力端子２４に３．３Ｖを送出する。また、Ｄ端子２１に送出する映像信号がレターボックス信号となるときには、出力端子２４をハイインピーダンスとする。また、Ｄ端子２１に送出する映像信号がスタンダード信号となるときには、出力端子２４に０Ｖを送出する。
【００２３】
レベル変換回路２２は、伸長回路部２３から送出されるレベルの変換を行う。すなわち、伸長回路部２３から３．３Ｖが送出されるときには、Ｄ端子２１の９番端子９Ｐに送出する識別信号９のレベルを５Ｖ近傍の電圧とする。また、伸長回路部２３から０Ｖが送出されるときには、識別信号９のレベルを０Ｖ近傍の電圧とする。
【００２４】
レベル変換回路２０は、出力端子２４の出力状態に基づいて、Ｄ端子２１の識別信号端子１１Ｐに送出される識別信号１１のレベルを、規格に対応したレベルとするための回路となっている。すなわち、出力端子２４から３．３Ｖが送出されるときには、識別信号１１のレベルを５Ｖ近傍の電圧とする。また、出力端子２４がハイインピーダンスとなるときには、識別信号１１のレベルを２．２Ｖ近傍の電圧とする。また、出力端子２４から０Ｖが送出されるときには、識別信号１１のレベルを０Ｖ近傍の電圧とする。
【００２５】
このため、レベル変換回路２０は、エミッタが伸長回路部２３の出力端子２４に接続されたＮＰＮトランジスタ（以下では、単にトランジスタと称する）Ｑ１を備えている。また、トランジスタＱ１のベースと５Ｖのプラス電源Ｖ＋２との間に接続された第１の抵抗Ｒ１、トランジスタＱ１のベースと接地レベルとの間に接続された第２の抵抗Ｒ２、トランジスタＱ１のコレクタとプラス電源Ｖ＋２との間に接続された第３の抵抗Ｒ３、トランジスタＱ１のエミッタと接地レベルとの間に接続された第４の抵抗Ｒ４、および、トランジスタＱ１のコレクタと識別信号端子１１Ｐとの間に接続された第５の抵抗Ｒ５を備えている。
【００２６】
また、第１〜第４の抵抗Ｒ１〜Ｒ４は、出力端子２４がハイインピーダンスとなるとき、トランジスタＱ１の動作領域が飽和領域となるように、それぞれの値が設定されている。詳細には、第１の抵抗Ｒ１は２２ｋΩ、第２の抵抗Ｒ２は３３ｋΩ、第３の抵抗Ｒ３は５．６ｋΩ、第４の抵抗Ｒ４は３．９ｋΩとなっている。また、第５の抵抗Ｒ５は、外部から見たときの識別信号端子１１Ｐのインピーダンスを規格に従った値（１０ｋΩの近傍値）とするための素子であり、５．６ｋΩとなっている。
【００２７】
上記構成からなる実施形態の動作について説明する。
Ｄ端子２１から送出される映像信号がスタンダード信号のため、出力端子２４が０Ｖとなる場合、レベル変換回路２０のトランジスタＱ１のエミッタの電位が０Ｖとなる。従って、トランジスタＱ１のベースには、第１の抵抗Ｒ１を介して充分な電流が流れる。このため、トランジスタＱ１はオンとなり、識別信号１１の電圧は０Ｖ近傍の電圧（約０．３Ｖ）となる。
【００２８】
また、Ｄ端子２１から送出される映像信号がスクイーズ信号のため、出力端子２４が３．３Ｖとなる場合、トランジスタＱ１のエミッタの電位がベース電位（約３．０Ｖ）より高くなるので、トランジスタＱ１はオフとなる。従って、識別信号端子１１Ｐには、第３の抵抗Ｒ３と第５の抵抗Ｒ５とを介して、プラス電源Ｖ＋２からの５Ｖが導かれる。このため、識別信号１１の電圧は５Ｖとなる。
【００２９】
また、Ｄ端子２１から送出される映像信号がレターボックス信号のため、出力端子２４がハイインピーダンスとなる場合、トランジスタＱ１のベースには、第１の抵抗Ｒ１と第２の抵抗Ｒ２とにより分圧された電圧（約３Ｖ）が印加される。一方、第３の抵抗Ｒ３と第４の抵抗Ｒ４とに流れる電流値は、ベース電流を無視すると同一となる。また、エミッタの電位が、ベース電位の３Ｖから、ベース・エミッタ間電圧（約０．６Ｖ）を減じた２．４Ｖより低くなるときには、トランジスタＱ１に充分なベース電流が流れ、トランジスタＱ１は飽和領域で動作する。以上のことから、トランジスタＱ１は、エミッタの電圧が約１．９Ｖとなる状態において、飽和領域で動作する。従って、トランジスタＱ１のコレクタの電圧は約２．２Ｖとなる。その結果、識別信号１１の電圧は、レターボックス信号であることを示す２．２Ｖとなる。
【００３０】
なお、エミッタの電圧が約１．９Ｖとなる場合、ベースの電位は約２．５Ｖである。このときでは、第２の抵抗Ｒ２の流れる電流は約７５μＡ、第１の抵抗Ｒ１に流れる電流は約１１０μＡとなる。従って、ＮＰＮトランジスタＱ１のベース電流は約４０μＡとなる。このことは、ＮＰＮトランジスタＱ１のｈｆｅの最小値を５０と見なす場合でも、コレクタ電流として約２ｍＡを流すことができることを意味する。その一方で、第３の抵抗Ｒ３が５．６ｋΩ、第４の抵抗Ｒ４が３．９ｋΩとなっているので、コレクタ電流の最大値は約５００μＡとなる。従って、ＮＰＮトランジスタＱ１の動作領域は飽和領域となり、コレクタ・エミッタ間電圧は、約０．３Ｖとなる。
【００３１】
つまり、出力端子２４がハイインピーダンスとなるときには、ＮＰＮトランジスタＱ１のコレクタ・エミッタ間電圧は、ＮＰＮトランジスタＱ１のｈｆｅがばらつくときにも、約０．３Ｖとなる。従って、識別信号１１の電圧も、ＮＰＮトランジスタＱ１のｈｆｅがばらつくときにも、約２．２Ｖの一定のレベルとなる。つまり、出力端子２４がハイインピーダンスとなるときの識別信号１１のレベルは、ＮＰＮトランジスタＱ１のｈｆｅがばらつくときにも、このばらつきに影響されることなく、第１〜第４の抵抗Ｒ１〜Ｒ４の値によって定まる一定の値となる。
【００３２】
レベル変換回路２０は上記した動作を行う。従って、ＤＶＤ２６を再生して得られ、Ｄ端子２１から送出される映像信号がスクイーズ信号となる場合では、識別信号１１の電圧は５Ｖとなる。つまり、Ｄ端子２１から送出される映像信号がスクイーズ信号であることが示される。また、ＤＶＤ２６を再生して得られ、Ｄ端子２１から送出される映像信号がレターボックス信号となる場合では、識別信号１１の電圧は２．２Ｖとなる。つまり、Ｄ端子２１から送出される映像信号がレターボックス信号であることが示される。また、ＤＶＤ２６を再生して得られ、Ｄ端子２１から送出される映像信号がスタンダード信号となる場合では、識別信号１１の電圧は０．３Ｖとなる。つまり、Ｄ端子２１から送出される映像信号がスタンダード信号であることが示される。
【００３３】
なお、本考案は上記実施形態に限定されず、第１〜第５の抵抗Ｒ１〜Ｒ５の値については、上記した値の他に、レベル変換回路２０としての所定の動作を行うことが可能な限りでは、その他の値とすることができる。
【００３４】
【考案の効果】
以上説明したように、本考案では、レベル変換回路は、信号回路部の前記出力端子がエミッタに導かれたＮＰＮトランジスタと、ＮＰＮトランジスタのベースと５Ｖのプラス電源との間に接続された第１の抵抗と、ベースと接地レベルとの間に接続された第２の抵抗と、コレクタと５Ｖのプラス電源との間に接続された第３の抵抗と、エミッタと接地レベルとの間に接続された第４の抵抗と、コレクタと識別信号端子との間に接続された第５の抵抗とを備えている。また、第１から第４までの４つの抵抗の値は、前記出力端子がハイインピーダンスとなるときのＮＰＮトランジスタの動作領域が飽和領域となる値に設定されている。このため、出力端子が０Ｖとなる場合には識別信号端子の電圧は０Ｖ近傍となり、出力端子が３．３Ｖとなる場合には識別信号端子の電圧は５Ｖ近傍となる。また、出力端子がハイインピーダンスとなる場合には識別信号端子の電圧を２．２近傍の電圧とすることができる。また、出力端子がハイインピーダンスとなるときでは、ＮＰＮトランジスタの動作領域は飽和領域となる。このため、識別信号端子の電圧は、第１〜第４の抵抗の値によってのみ定まり、ＮＰＮトランジスタのｈｆｅの影響を受けなくなる。このため、１つのＮＰＮトランジスタと５つの抵抗とでもって、識別信号に要求されるレベルにレベル変換を行うことができ、且つ、ＮＰＮトランジスタのｈｆｅがばらつくときにも識別信号のレベルにばらつきが生じることを防止することができる。
【００３５】
また本考案では、レベル変換回路は、信号回路部の前記出力端子がエミッタに導かれたＮＰＮトランジスタと、ＮＰＮトランジスタのベースと５Ｖのプラス電源との間に接続された第１の抵抗と、ベースと接地レベルとの間に接続された第２の抵抗と、コレクタと５Ｖのプラス電源との間に接続された第３の抵抗と、エミッタと接地レベルとの間に接続された第４の抵抗と、コレクタと識別信号端子との間に接続された第５の抵抗とを備えている。このため、出力端子が０Ｖとなる場合には識別信号端子の電圧は０Ｖ近傍となり、出力端子が３．３Ｖとなる場合には識別信号端子の電圧は５Ｖ近傍となる。また、出力端子がハイインピーダンスとなる場合には識別信号端子の電圧を２．２近傍の電圧とすることができる。このため、１つのＮＰＮトランジスタと５つの抵抗とでもって、識別信号に要求されるレベルにレベル変換を行うことができる。
【図面の簡単な説明】
【図１】本考案に係るＤＶＤ再生装置の一実施形態の電気的構成を示すブロック線図である。
【図２】従来技術の電気的構成を示すブロック線図である。
【符号の説明】
１１　識別信号
２０　レベル変換回路
２１　Ｄ端子
２３　伸長回路部（信号回路部）
２４　出力端子
１Ｐ，３Ｐ，５Ｐ　映像信号端子
１１Ｐ　識別信号端子
Ｑ１　ＮＰＮトランジスタ
Ｒ１　第１の抵抗
Ｒ２　第２の抵抗
Ｒ３　第３の抵抗
Ｒ４　第４の抵抗
Ｒ５　第５の抵抗
Ｖ＋１　３．３Ｖのプラス電源
Ｖ＋２　５Ｖのプラス電源
【図１】
0003096934.tif 000003
【図２】
0003096934.tif 000004